(57)【要約】本発明は、電子装置においてチャネル番号のお気に入りリストを更新する方法及び装置に関し、その方法は、既存のチャネル番号及び対応する新しいチャネル番号を有するチャネル更新情報を受信するステップと、既存のチャネル番号がお気に入りリストにあるかどうかを判定するステップと、既存のチャネル番号がお気に入りリストにある場合、お気に入りリストから既存のチャネル番号を取り除き、お気に入りリストに対応する新しいチャネル番号を追加するステップとを有する。チャネル番号のお気に入りリストを更新する装置は、１つ又はそれ以上の新しいチャネル番号変更に関連する情報を有するテレビ信号を取得する受信器と、既存のチャネル番号を記憶するメモリと、既存のチャネル番号を１つ又はそれ以上の新しいチャネル番号に変更する機構と、テレビ信号の受信器に変更されたチャネル番号を返す構成と、を有する。
2009529287.tif 000002
【特許請求の範囲】
【請求項１】
電子装置においてチャネル番号リストを更新する方法であって：
既存のチャネル番号及び対応する新しいチャネル番号を有するチャネル更新情報を受信するステップ；
前記既存のチャネル番号が前記チャネル番号リストにあるかどうかを判定するステップ；並びに
前記既存のチャネル番号が前記チャネル番号リストにある場合、お気に入りリストから前記既存のチャネル番号を取り除くステップであって、前記チャネル番号リストに前記対応する新しいチャネル番号を追加する、ステップ；
を有する方法。
【請求項２】
請求項１に記載の方法であって：
前記チャネル番号の変更が行われる日を判定するステップ；
を更に有する方法であり、
前記取り除くステップは、前記チャネル番号リストから前記既存のチャネル番号を取り除き、前記チャネル番号の変更が行われる前記日に、前記チャネル番号リストに前記新しいチャネル番号を追加するステップを有する；
方法。
【請求項３】
請求項２に記載の方法であって、前記チャネル更新情報は、垂直帰線期間に送信される拡張されたデータを介して受信される、方法。
【請求項４】
請求項２に記載の方法であって、前記チャネル更新情報は、プログラムガイド並びにプログラム及びシステム情報プロトコルの一を介して受信される、方法。
【請求項５】
請求項２に記載の方法であって、前記チャネル更新情報に応じて、前記チャネル番号リストの自動更新をユーザが選択することを可能にするオンスクリーンディスプレイ信号を与える、方法。
【請求項６】
請求項２に記載の方法であって、ユーザのアクションなしに、前記チャネル更新情報に応じて、前記チャネル番号リストの自動更新が行われるデフォルトモードをユーザが選択することを可能にするオンスクリーンディスプレイ信号を与える、方法。
【請求項７】
請求項２に記載の方法であって、前記チャネル番号リストは、複数のチャネル番号リストを有し、前記チャネル更新情報に応じて更新される前記チャネル番号リストの特定の一をユーザが選択することを可能にするオンスクリーンディスプレイ信号を与えるステップを更に有する、方法。
【請求項８】
チャネル番号リストにおけるチャネル番号を変更する装置であって：
既存のチャネル番号、対応する新しいチャネル番号及び前記少なくとも１つのチャネル番号の変更が発効する日を有する少なくとも１つのチャネル番号を有するペンディングのチャネル番号更新情報を受信するための受信器、デコーダ及びメモリ；並びに
前記チャネル番号リストを有するメモリにアクセスするプロセッサであって、該プロセッサは、前記チャネル番号リストに対して前記既存のチャネル番号を比較し、前記既存のチャネル番号がお気に入りリストにあるかどうかについて、ユーザに情報を送るオンスクリーンディスプレイ信号生成する、プロセッサ；
を有する装置。
【請求項９】
請求項８に記載の装置であって、前記プロセッサは、チャネル変更が前記チャネル番号変更情報に応じて発効する前記日に、前記チャネル番号リストにおいえる１つ又はそれ以上の前記チャネル番号を変更する、装置。
【請求項１０】
請求項９に記載の装置であって、前記受信器は、垂直帰線期間に送信されるデータを介して前記チャネル番号変更情報を受信するように適合されている、装置。  
【請求項１１】
請求項９に記載の装置であって、前記受信器は、グログラムガイド、又はプログラム及びシステム情報プロトコルを介して前記チャネル番号変更情報を受信するように適合されている、装置。
【請求項１２】
請求項９に記載の装置であって、前記プロセッサは、前記チャネル変更情報に応じて、前記チャネル番号リストの自動更新をユーザが選択することを可能にするオンスクリーンディスプレイ信号を生成する、装置。
【請求項１３】
請求項９に記載の装置であって、前記プロセッサは、ユーザ入力なしに、前記チャネル変更情報に応じて、前記チャネル番号リストの自動更新が行われるデフォルトモードをユーザが選択することを可能にするオンスクリーンディスプレイ信号を生成する、装置。
【請求項１４】
請求項９に記載の装置であって、前記チャネル番号リストは複数のチャネル番号リストを有し、前記プロセッサは、前記チャネル変更情報に応じて、更新される前記複数のチャネル変更リストの特定の一をユーザが選択することを可能にするオンスクリーンディスプレイ信号を与える、装置。
【発明の詳細な説明】
【技術分野】
【０００１】
本発明は、一般に、チャネルリストにおけるチャネル番号を変える方法及び装置に関し、より具体的には、サービスプロバイダが利用可能な送信周波数における放送チャネル割り当てを変えるテレビ視聴システムにおいて、お気に入りチャネルリストを管理する方法及び装置に関する。
【背景技術】
【０００２】
ケーブルシステム及び衛星システムは、一般に、加入者に対して数多くのテレビ視聴及びオーディオチャネルを、提供している。テレビ装置の加入者又はユーザは、特定の周波数に調節する表示装置又はセットトップボックス（ＳＴＢ）か若しくは、ＳＴＢのような二次選局装置（ｔｕｎｉｎｇ  ｄｅｖｉｃｅ）から映像信号を受信するモニタのどちらかにおいて、チャネルリスト、例えば、お気に入りリスト又はチャネルブロックリストを作成することが可能である。プロバイダはしばしば、新しいチャネルを導入し、追加チャネルに加入するユーザのようなユーザにより要求される変更を有効にし、放送構成に適合するように他の送信周波数にチャネルを移動させる等のように、チャネル構成を変更する。
【０００３】
プロバイダが、チャネル構成を変更するように計画しているとき、プロバイダは、典型的には、差し迫ったチャネル構成の変更（例えば、チャネル番号１１１は４月１７日にチャネル番号１２３に変わる）についてユーザに予め知らせる。チャネル番号が変更されるとき、送信周波数もまた、変更される。加入者は、種々の方法でそれらの変更について学習することが可能である。プロバイダにより与えられ、オンスクリーンディスプレイプロセッサ（ＯＳＤ）により生成されたメッセージにより表示されるチャネルガイドにおいて、通知されることが可能である。変更されるチャネルがユーザのお気に入りリストにあり、そのお気に入りリストが、一意の識別子（一意のＩＤ）としてのチャネル数を用いて作成される場合、先行するシステムにおいては、ユーザのお気に入りリストを自動的に更新することに失敗する。この課題を解決する機構が要請されている。
【発明の開示】
【課題を解決するための手段】
【０００４】
本発明は、電子装置におけるお気に入りチャネル番号リストを更新する方法であって、既存のチャネル番号及び対応する新しいチャネル番号を有するチャネル更新情報を受信するステップと、既存のチャネル番号がお気に入りリストにあるかどうかを判定するステップと、既存のチャネル番号がお気に入りリストにある場合、お気に入りリストから既存のチャネル番号を取り除き、お気に入りリストに対応する新しいチャネル番号を加えるステップと、を有する方法に関する。
【０００５】
本発明はまた、お気に入りチャネル番号リストを更新する装置であって、１つ又はそれ以上の新しいチャネル番号変更に関連する情報を有するテレビ信号を得る機構と、対応する既存のチャネル番号を有するメモリと、既存のチャネル番号を１つ又はそれ以上の新しいチャネル番号に変更する機構と、変更されたチャネル番号をテレビ信号の受信器に返す構成と、を有する装置に関する。
【０００６】
本発明については、以下の詳細説明により、添付図と関連付けて読むことにより理解することができる。それらの添付図の種々の特徴は、精緻には示されてはいない。それらの種々の特徴は、明確化のために任意に拡大又は縮小が施されている。
【発明を実施するための最良の形態】
【０００７】
本発明の図及び明細書は、本発明の明確な理解のために、関連する要素を例示するように簡略化されている一方、明確化のために、多くの他の要素をセットトップシステム内にあることが理解できる。当業者は、他の要素及び／又はステップが本発明の実行において好ましい及び／又は必要であることを認識することができる。しかしながら、そのような要素及びステップは当該技術分野において知られていて、そのような要素及びステップについての詳細説明は、ここでは、省略している。更に、説明されている図においては、回路並びに関連するブロック及び矢印は、本発明に従ったプロセスの機能を表現し、それらの機能は、電気信号を搬送する電気回路、及び関連ワイヤ又はデータバスとして実施されている。代替として、１つ又はそれ以上の関連矢印は、特に本発明の方法又は装置がディジタルプロセスにあるとき、ソフトウェアルーチン間の通信（例えば、データフロー）を表現することが可能である。
【０００８】
受信システムは、特定の放送チャネルについてのガイドコードのような一意のＩＤを用いてユーザがお気に入りリストを作成するようにし、そして、ユーザのお気に入りリストに対する自動更新を可能にするが、これは、お気に入りリストが一般にプロバイダにより供給されるＳＴＢにおいて生成される場合にのみ、生じる。ユーザが、チャネル番号に基づいて特定の周波数に調節する装置においてお気に入りリストを作成する、即ち、その装置がＳＴＢのような二次選局装置から映像信号を容易に受信する場合、ディスプレイにおいて作成するお気に入りリストについての一意のＩＤは、多くの場合、ガイドコードではなく、そのチャネルのチャネル番号であるため、自動更新は行われない。更に、ユーザがＳＴＢにおいてお気に入りリストを作成することを可能にするＳＴＢが、一意のＩＤとして、特定のチャネルについて、ガイドコードでなく、チャネル番号を用いている場合、自動更新は行われない。
【０００９】
加入者がお気に入りチャネルリストを作成することを可能にする方法については知られていて、例えば、ユーザが好適なチャネルのリストを入力して見ることが可能であるシステム及び方法については、“Ｃｏｌｏｒ−Ｃｏｄｅｄ  Ｓｙｓｔｅｍ  ｆｏｒ  Ｓｅｌｅｃｔｉｏｎ  ｏｆ  ＲＦ  Ｉｎｐｕｔ  Ｔｅｒｍｉｎａｌｓ  ａｎｄ  Ａｓｓｏｃｉａｔｅｄ  Ｓｃａｎ  Ｌｉｓｔｓ”と題された米国特許第５，１０３．３１４号明細書に開示されている。
【００１０】
代表的には、お気に入りリストにおけるチャネルは、リモコンか又は製品におけるフロントパネルのボタンのどちらかにおいて、“チャネル−／＋”ボタンを用いてユーザが調節することができるチャネルである。例示として、チャネル番号０２及び２０がユーザのお気に入りリストにあるが、チャネル番号０４及び０５がそのお気に入りリストになく、ユーザが、現時点で、チャネル０３に調節され、リモコン装置における“＋”ボタンを押す場合、ＣＥ装置はチャネル０６に調節する。しかしながら、ユーザは、直接、ディジット入力により、チャネル０４及び０５に調節することが可能である。複数のチャネルリストが設定されることが可能であり、ユーザは、チャネルリストの特定の１つを使用するように選択することが可能である。
【００１１】
サービスプロバイダが、チャネル０２に関連する周波数における放送をチャネル０４に変更し、お気に入りリストについての一意のＩＤがそのチャネル番号自体である受信器にある場合、チャネル０４は、自動的に、対応する符号化された（アナログ又はディジタル）表現に変換され、お気に入りリストに追加されるため、ユーザは、そのお気に入りリストにあったチャネル０２における放送を失う。ユーザは、彼がお気に入りリストのチャネル０２において新しい放送を維持することを望む場合、お気に入りリストにチャネル０４の対応する符号化された（アナログ又はディジタル）表現を手動で追加し、チャネル０２を削除する。このことはまた、お気に入りリストがテレビのようなサービスプロバイダにより供給されないＣＥ装置にあり、ユーザのお気に入りリストがその供給されないＣＥ装置にある場合には、真である。
【００１２】
これは全て、子供が視聴する好ましいリストを両親が作成し、他のチャネルを子供のリストにないようにブロックする場合に、より重要である。今日、プロバイダが構成を変更し、両親が彼等の子供が視聴することを望まないチャネルが、子供のお気に入りリストにおけるチャネルに対して変更された場合、両親は、子供のアクセスに対して意図していないチャネルが視聴のために利用可能であることに気付かない可能性がある。本発明は、この課題に歯止めをかける。
【００１３】
本発明の特徴に従って、ユーザのお気に入りリストは、放送チャネルの変更が生じるとすぐに、自動的に更新される。一実施形態においては、新しいチャネルは、放送チャネルが実際に変更される前に（例えば、２４乃至４８時間前に）、ユーザのお気に入りリストに追加されることが可能であるが、放送が実際にその新しいチャネル番号に変更されるまで、その新しいチャネルは、“チャネル−／＋”ループから実行される。他の実施形態においては、変更が行われる前に、ユーザは、その変更について促されることが可能でありそして、古いチャネルは移されつつある新しい放送について、促されることが可能である。更に、ユーザは、新しい放送を維持するように促され、お気に入りリストにおいて対応するチャネル番号を有効に維持することが可能であり、又はそのチャネル番号を捨てるオプションが与えられることが可能である。
【００１４】
そのシステムが、チャネル構成が変更されたことを確認するように、そのシステムは、ガイドデータを参照する、又は垂直帰線期間（ＶＢＩ：Ｖｅｒｔｉｃａｌ  Ｂｌａｎｋｉｎｇ  Ｉｎｔｅｒｖａｌ）において送信される情報からデータを得る。従って、ユーザが、利用可能なチャネルに対して実際に調節する装置でなく、モニタにおいて、お気に入りリストを作成した場合、選局装置は、それがモニタに対してガイドデータ又はＶＢＩを介して受信する情報を中継することが可能である。このことは、当業者が理解することができるように、選局装置とモニタとの間の種々の既知の及び利用可能な通信方法を介して、もたらされることが可能である。モニタは、チャネルリストを更新するように、チャネル構成の変更が行われるようにスケジューリングされているときを示すＯＳＤを与えるようにプログラムされていることが可能である。ユーザが、チャネルに対して調節する装置においてチャネルリストを作成した場合、その装置は、視聴用モニタにおいて備えられているその装置自体のＯＳＤを有することが可能であり、選局装置自体によりトリガされる。ユーザが取る何れかの関連アクションについては、直接に、又は既知の方法を用いて選局装置に対してモニタによる送信を介して、選局装置に戻るように通信される。
【００１５】
お気に入りチャネルリストにおいてチャネル番号を変更する、本発明の特徴に従った装置は、新しいチャネル番号の変更に関連する情報を得るための受信器と、既存のチャネル番号を表現するデータを有するメモリと、新しいチャネル番号を表現するデータに既存のチャネル番号を表現するデータを変更する手段と、受信器のチャネル番号を表現するデータに対応する周波数を変更する構成と、を有する。その装置は、上記のように、促されることにより、ユーザのアクションが後続して、又はユーザのアクションなしに、自動的にお気に入りリストが更新されることを可能にする。この装置は、チャネル構成変更の情報を単に表示する、従来、使用されている受動システムとは対照的であり、ユーザはお気に入りリストを編集する必要がある。
【００１６】
本発明を実施する例示としての構成について、図１に示している。図１を参照するに、無線周波（ＲＦ）信号が、チューナアセンブリ１０２のＲＦ入力端子に適用される。チューナアセンブリ１０２は、ワイヤ１０３を介してチューナアセンブリ１０２に調節制御信号を適用し、制御バス１０３′を介してバンド切り替え信号を適用するチューナ制御ユニット１０４に制御下で、特定のＲＦ信号を選択して増幅する。チューナ制御ユニット１０４は制御器１１０により制御される。マイクロプロセッサ又はマイクロコンピュータであることが可能である制御器１１０は、中央演算処理装置（ＣＰＵ）１１２と、読み出し専用メモリ（ＲＯＭ）１１４と、ランダムアクセスメモリ１１６と、を有する。制御器１１０は、チューナ１０２に対してＲＦ入力を選択するＲＦスイッチ１００のために上記の制御信号を生成する。制御器１１０は、局所キーボード１２０から及び赤外線（ＩＲ）受信器１２２からユーザ入力制御信号を受信する。ＩＲ受信器１２２は、リモコンユニット１２５により送信されたリモコン信号を受信して、復号化する。
【００１７】
チューナ１０２は、中間周波数（ＩＦ）にある信号を生成し、映像ＩＦ（ＶＩＦ）増幅段階、ＡＦＴ回路、映像検出器及び音声ＩＦ（ＳＩＦ）増幅段階を有する処理ユニット１３０にそれを適用する。処理ユニット１３０は、ベースバンドコンポジット映像信号（ＴＶ）及び音声搬送波信号を生成する。音声搬送波信号が、音響検出器及びステレオ検出器を有する音響信号プロセッサユニットに適用される。音響信号プロセッサユニット１３５は、左ベースバンド音響信号及び右ベースバンド音響信号を生成し、それらを音声再生のためにスピーカ１３８の空気に適用する。
【００１８】
ベースバンド映像信号（ＴＶ）は、映像プロセッサユニット１５５及びカイン（ｋｉｎｅ）ドライバ増幅器１５６に結合され、最終的に、表示装置１５８の表示スクリーンに表示される。映像信号はまた、垂直同期信号及び水平同期信号を得る同期分離ユニット１６０に適用される。得られた垂直同期信号及び水平同期信号は、表示装置１５８のヨークアセンブリに適用される偏向信号の生成のための偏向ユニット１７０に適用される。制御器１１０の制御下で、表示装置１５８における表示のために、オンスクリーンディスプレイプロセッサ１４０は文字信号を生成し、それらを映像信号プロセッサ１５５の第２入力に適用する。
【００１９】
一構成においては、メモリ１１６は、対応する既存のチャネル番号の１つ又はそれ以上のリスト（例えば、スキャンリスト又はお気に入りリスト）を受信して更新するのに有効である。制御器と組み合わされたリモコン装置１２５は、１つ又はそれ以上の新しいチャネル番号に既存のチャネル番号を変更し、テレビ受信の受信器チューナ周波数を変更するように変更されたチャネル番号を返すのに有効である。
【００２０】
特に、例示としての実施形態においては、お気に入りチャネルリストがメモリ１１６に記憶され、そのメモリは、ＥＥＰＲＯＭ等の不揮発性の消去可能なメモリを有することが可能である。変更されたチャネル番号は、受信器１０５において受信され、プロセッサ１１０に供給される１つ又はそれ以上の信号を介して、サービスプロバイダから通信される。プロセッサ１１０は、メモリ１１６に記憶されているようなお気に入りチャネルリストに対して、受信されたプログラムチャネル変更情報を比較し、対応するチャネル番号が加入者により削除された又は追加されたことを判定する。その例示としてのシステムにおいては、ＯＳＤプロセッサ１４０は、ユーザに対して、変更されたチャネル番号を有する表示を出力し、チューナ１０２は、特定のチャネル性能と関連付けられるチャネル番号における変更を対応させるように、相応して制御されることが可能である。
【００２１】
他の構成においては、お気に入りリストはメモリ１１６でなく、モニタ等の遠隔装置のメモリ（即ち、利用可能なチャネルに、実際に調節する装置に代えて）に記憶されている場合、そのモニタとの有効な通信状態にある受信器選局装置は、それがそのモニタのメモリにおける更新及び記憶のためにそのモニタに対して、ガイドデータ又はＶＢＩを介して受信する情報を供給又は中継することが可能である。
【００２２】
本発明の実施形態においては、映像帰線期間中にデータパケットを送信することにより、テレビ信号に組み込まれたデータパケットにおけるチャネル変更情報が送信される。北米では、映像帰線期間は、映像信号のライン１０乃至２１を有する。好適には、そのデータパケットは、映像信号の拡張データサービス（ＸＤＳ：Ｅｘｔｅｎｄｅｄ  Ｄａｔａ  Ｓｅｒｖｉｃｅ）部分において送信されるデータバイトを有する。ＸＤＳデータは、Ｅｌｅｃｔｒｏｎｉｃ  Ｉｎｄｕｓｔｒｉｅｓ  Ａｓｓｏｃｉａｔｉｏｎの規格Ｎｏ．ＥＩＡ−６０８により規定される映像信号のライン２１において送信され、その規格の援用により、本明細書の説明の一部を代替する。北米で販売される新しいテレビの殆ど全ては、ライン２１において送信されるＸＤＳデータのために内蔵デコーダを有する必要があるため、ライン２１を用いることは好ましい。
【００２３】
規格Ｎｏ．ＥＩＡ−６０８は、テレビのプログラムについての情報を有するディジタル的に符号化された情報パケットを組み込むプロトコルを指定し、そのテレビのプログラムは、放送会社が指定する付加データと共に、今日、放送されている。各々のＸＤＳデータパケットは、“ｓｔａｒｔ”（開始）の文字から始まり、そのパケットはまた、情報の“ｃｌａｓｓ”（クラス） （即ち、一般に、パケットにおける情報が関係するもの）を示す。例えば、現在のプログラム（“Ｃｕｒｒｅｎｔ”クラス）に関するデータについての開始文字は０１ｈであり、現在のチャネル（“Ｃｈａｎｎｅｌ  Ｉｎｆｏｒｍａｔｉｏｎ”クラス）に関するデータについての開始文字は０５ｈであり、そして“ｕｎｄｅｆｉｎｅｄ” （規定されていない）データ（“Ｕｎｄｅｆｉｎｅｄ”クラス）についての開始文字は０Ｄｈである。送信される情報の特定の性質を示すデータの種類の文字は開始文字に後続する。各々の情報パケットは、規格ＥＩＡ−６０８においては０Ｆｈで規定される“ｅｎｄ”（終了）文字及びチェックサム文字で終了する。
【００２４】
ＥＩＡ−６０８規格は、本発明を実行するために有用である情報を送信するコードを規定する。本発明を実行する他の情報は、ＥＩＡ−６０８規格により与えられる規定されていないデータの種類を用いてＸＤＳデータとして好都合に送信されることが可能である。勿論、この情報又は類似する情報はまた、ＥＩＡ−６０８規格と適合しないように符号化される及び送信されることも可能である。本発明は、他のプロトコルを用いて、並びに／若しくは、他の符号化及び／又は組み込み技術を用いて、映像信号における何れかの必要なデータを符号化する及び組み込むことにより、実行されることが可能である。重要なことは、入来する映像信号が、下で述べる情報の少なくとも一部を搬送するコードをその映像信号に何とか組み込んでいることである。
【００２５】
今日、規定されているパケットのクラスは４つであって、即ち、Ｃｕｒｒｅｎｔ（現在）、Ｆｕｔｕｒｅ（将来）、Ｎｅｔｗｏｒｋ（ネットワーク）及びＭｉｓｃｅｌｌａｎｅｏｕｓ（その他）である。Ｃｕｒｒｅｎｔパケットは、現在、送信されているプログラムを表す情報を有する。Ｆｕｔｕｒｅパケットは、送信されるべき近い将来のプログラムについての情報を有する。Ｎｅｔｗｏｒｋパケットは、映像信号のソース、例えば放送ネットワークについての情報を有する。Ｍｉｓｃｅｌｌａｎｅｏｕｓパケットは、種々の他の有用な情報を有する。
【００２６】
各々のパケットは、１つの情報を搬送する。本発明に従って、規定されていないデータの種類が、チャネル変更情報を搬送するように用いられることが可能である。その点に関して、受信器は、チャネル変更情報が、後続するデータパケットにおいて搬送されることを認識し、そのデータパケットは、受信器により認識される所定のフォーマット、例えば、古いチャネル番号、新しいチャネル番号、変更月日等で与えられることが可能である。情報が受信されて、認識されるとすぐ、受信器は、下で述べるように、お気に入りチャネルリストの自動更新を実行することが可能である。
【００２７】
ディジタル環境においては、チャネル変更情報はまた、プログラム情報と多重化される、プログラム及びシステム情報テーブルを介して与えられることが可能である。例えば、プログラム及びシステム情報プロトコル（ＰＳＩＰ）は関連技術において知られていて、２００３年３月１８日付けである、“Ｐｒｏｇｒａｍ  ａｎｄ  Ｓｙｓｔｅｍ  Ｉｎｆｏｒｍａｔｉｏｎ  Ｐｒｏｔｏｃｏｌ  ｆｏｒ  Ｔｅｒｒｅｓｔｒｉａｌ  Ｂｒｏａｄｃａｓｔ  ａｎｄ  Ｃａｂｌｅ”と題されたＡｄｖａｎｃｅｄ  Ｔｅｌｅｖｉｓｉｏｎ  Ｓｙｓｔｅｍｓ  Ｃｏｍｍｉｔｔｅｅ（ＡＴＳＣ）Ｄｏｃｕｍｅｎｔ  Ａ／６５−Ｂに記載されていて、その全部の開示の援用により、本明細書の説明の一部を代替する。非限定的な説明として、ＰＳＩＰは階層的に対応付けられたテーブルの収集であり、それらのテーブルの各々は、代表的なディジタルテレビ（ＤＴＶ）サービスの特定の要素について記載されている。その基本テーブルは、システムタイムテーブル（ＳＴＴ）、レーティング領域テーブル（ＲＲＴ）、マスタガイドテーブル（ＭＧＴ）及び垂直チャネルテーブル（ＶＣＴ）を有する。方向付けチャネル変更テーブル（ＤＣＣＴ）及び方向付けチャネル変更選択コードテーブル（ＤＣＣＳＣＴ）も含まれることが可能である。イベント情報テーブル（ＥＩＴ）も、ＰＳＩＰデータ構造の一部として含まれることが可能である。
【００２８】
システムタイムテーブル（ＳＴＴ）には、同期を必要とするアプリケーションについての時間情報がある。レーティング領域テーブル（ＲＲＴ）は、異なる地域又は国について有効なレーティングテーブルである。マスタガイドテーブル（ＭＧＴ）は、テーブルについてのサイズ、パケット識別子（ＰＩＤ）及びバージョン番号を定める。垂直チャネルテーブル（ＶＣＴ）は、ナビゲーション及び同調のために必要な垂直チャネル属性の表である。本発明は、例えば、チャネル変更情報を搬送するように、ＶＣＴにおける規定されていないフィールドを利用することが可能である。また、受信器は、チャネル変更情報を表す特定のコードを認識するようにプログラムされ、その場合、お気に入りチャネルリストを変更するように、又は下で述べるようなお気に入りチャネルリストをユーザが変更することを可能にする表示を与えるように、その情報を用いる。
【００２９】
チャネル番号のお気に入りリストを更新するために本発明のステップを実行するプロセスは、１つ又はそれ以上の新しいチャネル番号変更に関連する情報を有する映像信号又はテレビ信号を取得するステップと、既存のチャネル番号を記憶するステップと、既存のチャネル番号を１つ又はそれ以上の新しいチャネル番号に変更するステップと、必要に応じて、テレビ信号の受信器に変更されたチャネル番号を返すステップと、を有する。
【００３０】
ここで、図２を参照するに、リモコン１２５を用いる加入者入力が、セットトップボックス等の受信器のメモリ１１６に、又は、代替として、選局装置に動作可能であるように結合された遠隔モニタ装置のメモリに記憶されているお気に入りチャネルリスト２１０を作成又は変更することが可能である。例示としての実施形態においては、ＳＴＢメモリはお気に入りチャネルリストを維持する場合、お気に入りリストは、対応するガイドコードとして又はチャネル番号として表される。そのリストが、ブロック２２０において判定されるときに、ガイドコードとして維持される２１５場合、ガイドコードに対して、何らかの変更が行われる必要がある。ガイドコード２３５の変更は、典型的には、サービスプロバイダにより自動的に行われる２４０。一部の場合、サービスプロバイダはまた、テキストメッセージ又は他の通信手段を介して、加入者に任意に注意を促す２４５ことが可能である。図１を参照するに、受信器１０５は、制御マイクロプロセッサ１１０（又は他のプロセッサ）としてプログラム情報検出器を有し、そのプログラム情報検出器は、メモリ１１６にガイドコード等のプログラム情報を記憶する。復号化されたプロが恨む情報を記憶するためのプログラム情報デコーダ及びメモリ１１６は、ピクチャ表示装置１５８にプログラミング情報を表示するＯＳＤ１４０への入力を与える。
【００３１】
記憶手段が、セットトップボックス内に位置付けられていないが、遠隔モニタメモリ又はテレビ装置（図示せず）自体において備えられている場合、チャネル番号はお気に入りチャネルを指定し、そのモニタメモリ又はテレビ装置自体（図示せず）において、変更２２５が行われる。同様に、判定される２２０ように、ＳＴＢにおいてチャネル番号としてリストが維持される２１５場合、チャネル番号に対して変更が行われる２３０。この最後の例においては、加入者２０５は再び、変更を行う。
【００３２】
ここで、図３を参照するに、チューナ１０２が、映像、音響及び情報コンテンツを有するコンポジット放送信号を受信するプロセスフローが示されている。情報コンテンツは、修正可能なお気に入りチャネルリストを維持するＳＴＢにおいてチャネル番号としてリスト又はモニタにより受信される、チャネル番号データ３１６を有する垂直帰線情報及びガイドデータ３１５の一又は両方として、チャネル情報を有することが可能である。お気に入りチャネル情報は、変更又は近い将来の変更について加入者３３０に促すことが可能である。プロバイダは、その後、チャネルを変更する３３５ことが可能であり、そのことは、お気に入りチャネルリストが新しい変更の方に向かう変更の効果を有する。ユーザは、前位置に対応するようにお気に入りチャネルリストを修正する３４０ことにより、その変更を、効果的に無効にすることが可能である。お気に入りリストを変更している過程で、モニタ、セットトップボックス又はテレビは、その場合、行われた変更について、チューナに信号を送る３５０。
【００３３】
図４に示しているように、本発明の一実施形態は、サービスプロバイダから新しいチャネル番号についての情報を受信する方法に関する。その方法４００は、サービスプロバイダが放送チャネルを変更するとき、又はチャネルに特定のプログラミングを変更するとき、お気に入りチャネルリストの変更を可能にする。その方法は、対応する新しいチャネル番号を有するチャネル更新情報を受信するステップ４２０と、既存のチャネル番号がお気に入りリストにあるかどうかを判定するステップ４４０と、加入者が既存のチャネル番号を取り除くことを望んでいるかどうかを判定するステップ４６０と、を有する。加入者が既存のチャネル番号を取り除くことを望んでいない場合、そのプロセスは終了する４９９。又は、加入者は、既存の又は古いチャネル番号を取り除き４８０、お気に入りリストに対応する新しいチャネル番号を追加する４９０。ステップ４４０において、そのチャネル番号がお気に入りチャネルリストにないことが判定されることが可能であり、そのプロセスは、加入者がお気に入りリストに新しいチャネルを追加することにより変更することを望んでいるかどうかを判定するように、ステップ４５０に進む。
【００３４】
より具体的には、図４に関連付けて図１を参照するに、受信器１０５は、チャネルの変更が特定の月日に発効するというチャネル更新情報４２０を受信する。その受信器が受け入れる新しいチャネル、月日及び時間は、メモリ１１６に記憶される。プロセッサ１１０は、チャネル番号がお気に入りリストにあるかどうかを判定し４４０、スケジューリングされた変更についてユーザに情報を送るＯＳＤを備えることにより、情報を送る。チャネル番号がお気に入りリストにあり、ユーザが、既存のチャネル番号を取り除く４６０ことを望んでいる場合、ユーザは、既存のチャネルを取り除く４８０プロセッサ１１０に関連付けて処理されるコマンドを入力するように、リモコン１２５を用いることができる。ディスプレイは、ユーザが選択するときに、お気に入りリストに対して必要な変更を自動的に行い、それ故、チャネルの変更が発効するときに新しいチャネルを追加する、ボタン又は表示の選択可能部分を有することが可能である。
【００３５】
図１及び図５に示しているように、本発明の一実施形態は、一般に、新しいチャネル番号についてサービスプロバイダから情報を受信する方法に関する。その方法５００は、サービスプロバイダが放送チャネルを変更する又はチャネルに対して特定のプログラミングを変更するとき、お気に入りチャネル及びリストを変更することを可能にする。受信器１０５は、チャネルの変更が特定の月日に発効するようになるチャネル更新情報５２０を受信する。発効する新しいチャネル、月日及び時間はメモリ１１６に記憶されている。プロセッサ１１０は、チャネル番号がお気に入りリストにあるかどうかを判定し、ユーザにスケジューリングされた変更について情報を送るＯＳＤを備えることにより、ユーザに情報を送る。その変更は、お気に入りリストにおけるチャネル番号に関連する周波数又はチャネル番号を変更することを有することが可能である。影響を受けるチャネル番号がお気に入りリストにあり、ユーザがお気に入りリストの更新を望む場合、ユーザは、ＯＳＤにおける指定されたボタン又は表示部分を選択することにより、お気に入りチャネルリストを自動的に更新するように選択することが可能である。例えば、ＯＳＤは、“ＡＣＣＥＰＴ”（受け入れ）ボタンを表示することが可能であり、そのボタンは、チャネルの変更が行われるとき、プロセッサがお気に入りリストの編集を自動的に行うようにする。
【００３６】
図１、図６ａ及び図６ｂに示すように、本発明の他の実施形態は、新しいチャネル番号についてサービスプロバイダから情報を受信する方法に関する。プロセス６００において、ユーザは、その方法が行われる前に、変更について促され、古いチャネルは移されつつある新しい放送について、促されることが可能である。更に、リモコン１２５又は他の適切な装置を介して、ユーザは、システム１００が新しい放送を維持するように促され、お気に入りリストにおいて対応するチャネル番号を効果的に維持する、又は、そのリストからそのチャネル番号を捨てる。そのプロセス６００は、サービスプロバイダが放送チャネルを変更するとき、又はチャネルに特定のプログラミングを変更するとき、お気に入りチャネルリストを変更することを可能にする。受信器１０５は、チャネル変更が特定の月日に発効するというチャネル更新情報６２０を受信する。ステップ６３０において、ペンディングのチャネル変更情報はチャネル番号及びその変更が発効する月日を有し、それらの両方は、プログラム情報検出器により処理され、メモリ１１６に記憶される。プロセッサ１１０は、メモリ１１６に記憶されている既存のお気に入りチャネルリストにアクセスし、お気に入りチャネルリストに対してそのペンディングの変更を比較し６３５、チャネル番号がお気に入りリストにあるかどうかを判定し６４０、そしてスケジューリングされた変更についてユーザに情報を送るＯＳＤを備えることにより、ステップ６４５及び６６０においてユーザに情報を送る。既存のチャネル番号がお気に入りリストにあり、加入者がお気に入りリストからペンディングのチャネル番号６５０を削除することを望む場合、ユーザは、プロセッサ１１０が既存のチャネル及びペンディングのチャネルを削除するようにするコマンドを入力するように、リモコン１２５を用いる。プロセッサはメモリ１１６を読み出し、ペンディングの変更のための月日に達したかどうかを判定する６８０。その月日に達した場合、プロセッサはお気に入りチャネルメモリを更新する。既存のチャネル番号がお気に入りリストにない場合、ユーザは、加入者が新しいペンディングのチャネル番号を追加することを望んでいるかどうかを、プロセッサ１１０が判定する６７０ことを可能にするコマンドを入力するように、リモコンを用いることが可能である。そのコマンドは、ＯＳＤの指定ボタン又は指定部分を選択することにより選択されることが可能である。加入者が、お気に入りリストに新しい番号を追加することを望んでいる場合、プロセッサ１１０はステップ６７５を実行する。プロセッサはメモリ１１６を読み出し、ペンディングの変更についての月日に達したかどうかを判定する６８０。その月日に達していない場合、プロセッサは、メモリ１１６を継続して読み出し、ペンディングの変更についての月日に達したかどうかを判定し６８０、その月日に達したとき、そのプロセッサはお気に入りチャネルメモリを更新する。加入者が、お気に入りリストに新しい番号を追加することを望んでいない場合、プロセッサ１１０はステップ６９５に進み、プロセス６００を終了する。既存のチャネル番号がお気に入りリストにある場合、リモコン１２５を用いるユーザは、ユーザがお気に入りリストから新しいペンディングの番号を削除することを望まないことを、プロセッサ１１０が判定する６５０ことを可能にするコマンドを入力する。プロセッサは、その場合、プロセス６００を終了するステップ６９５に進む。
【００３７】
代替の実施形態においては、プログラム情報検出器又はプロセッサは、選局装置に動作可能であるように結合している遠隔モニタに入力／出力バスを介して、ペンディングのチャネル番号の変更及び変更が発効する月日について通信することが可能であり、その選局装置は、チャネル番号情報を更新するためのメモリを有する。
【００３８】
代替の実施形態においては、受信器は、複数のチャネル番号リストを有することが可能である。例えば、特定のＳＴＢ及びテレビ受信器は、ユーザが、複数のお気に入りチャネルリスト、例えば、特定のユーザ又はスポーツプログラミング等の特定の目的を支援する各々のリストを設定することを可能にする。これに関連して、本発明は、自動的に更新されるリストをユーザが選択することを可能にするように構成されることが可能である。デフォルトに基づいて、又はチャネル変更の更新情報が受信されるときに、ユーザが更新のための特定のリストを選択することを可能にするように、オンスクリーンディスプレイが供えられることが可能である。デフォルトモードは、メニュー等が設定されたシステムを用いて、選択されることが可能であり、そのシステムにおいて、ユーザは、ユーザからの更なる入力なしにチャネル変更情報に応じて実行される自動更新を選択する。その場合、オンスクリーンディスプレイは、チャネル番号リストに対する変更が行われる情報をユーザに与える役割を果たすだけである。
【００３９】
当業者が理解できるであろうように、新しいチャネル番号の追加に先行する既存のチャネル番号を除去するかどうかの種々の判定の順序は、上記のように修正されることが可能である。好適な実施形態においては、チャネル番号を変更し、チャネルリストを管理するためのシステム１００の機能及び手段が、メモリ１１６のようなメモリに記憶されているソフトウェアにおいて実施されることが可能である。機能の選択が、ソフトウェア、ファームウェア、又はそれらの両方において実施される場合、処理命令は、命令実行システム、機器又は装置からの命令をフェッチして、その命令を実行することができる、コンピュータベースのシステム、プロセッサを有するシステム又は他のシステム等の、命令実行システム、機器又は装置により又はそれらと共に用いる何れかのコンピュータ読み出し媒体に記憶されていて、搬送されることが可能である。
【００４０】
更に、制御器１０４及びプロセッサ１１０のような関連プロセッサの動作を制約するプログラム記憶媒体に、及び信号及びデータ処理ネットワークにおけるメッセージに関して、プロセッサの協働可能な動作により行われるその方法のステップに、主題発明が備えられることが可能である。それらのプロセスは、多かれ少なかれ能動的又は受動的な要素を有する種々の方式をとることが可能である。例えば、それらのプロセスは、ソースコード又はオブジェクトコード、実行可能コード、若しくは他のフォーマットにあるプログラム命令を有するソフトウェアプログラムとして存在する。上記の何れかは、コンピュータ読み出し可能媒体において具現されることが可能であり、そのコンピュータ読み出し可能媒体は、圧縮形式又は非圧縮形式にある記憶装置及び信号を有する。例示としてのコンピュータ読み出し記憶装置は、従来のコンピュータシステムＲＡＭ（ランダムアクセスメモリ）、ＲＯＭ（読み出し専用メモリ）、ＥＰＲＯＭ（消去可能プログラム可能ＲＯＭ）、ＥＥＰＲＯＭ（電子的消去及びプログラム可能ＲＯＭ）、フラッシュメモリ及び磁気ディスク、光ディスク又はテープを含む。例示としてのコンピュータ読み出し可能信号は、キャリアを用いて変調されるか否かに拘わらず、コンピュータプログラムのホストとしての機能を果たす、又はコンピュータプログラムを実行するコンピュータシステムが、アクセスすることが可能である信号であり、インターネット又は他のネットワークに関連する衛星システム、ケーブルネットワークＤＳＬを介してダウンロードされる信号を含む。上記の実施例は、ＣＤ  ＲＯＭにおける、又はインターネットにおけるダウンロードを介するプログラムの分配を含む。
【００４１】
上記の複数の実施形態については、当業者が本発明を実施する又は用いることを可能にするように詳述されている。それらの実施形態の種々の変更を、当業者は容易に行うことができ、本明細書で説明している一般原理を、他の実施形態に適用することが可能である。従って、本発明は、本明細書に記載されている実施形態に限定されるものではなく、ここで開示されている新規な特徴及び原理との一貫性を有する広汎な範囲と調和するように意図されている。
【図面の簡単な説明】
【００４２】
【図１】主題発明に組み込まれたテレビシステムのブロック図である。
【図２】本発明の実施形態に従ったプロセスフローを示す図である。
【図３】本発明の実施形態に従った他のプロセスフローを示す図である。
【図４】本発明の実施形態に従った他のプロセスフローを示す図である。
【図５】本発明の実施形態に従った他のプロセスフローを示す図である。
【図６ａ】本発明の実施形態に従った他のプロセスフローを示す図である。
【図６ｂ】本発明の実施形態に従った他のプロセスフローを示す図である。
【図１】
2009529287.tif 000003
【図２】
2009529287.tif 000004
【図３】
2009529287.tif 000005
【図４】
2009529287.tif 000006
【図５】
2009529287.tif 000007
【図６ａ】
2009529287.tif 000008
【図６ｂ】
2009529287.tif 000009
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
電子装置においてチャネル番号リストを更新する方法であって：
既存のチャネル番号及び対応する新しいチャネル番号を有するチャネル更新情報を受信するステップ；
前記既存のチャネル番号が前記チャネル番号リストにあるかどうかを判定するステップ；並びに
前記既存のチャネル番号が前記チャネル番号リストにある場合、チャネル番号リストから前記既存のチャネル番号を取り除くステップであって、前記チャネル番号リストに前記対応する新しいチャネル番号を追加する、ステップ；
を有する方法。
【請求項２】
チャネル番号リストにおけるチャネル番号を変更する装置であって：
既存のチャネル番号、対応する新しいチャネル番号及び前記少なくとも１つのチャネル番号の変更が発効する日を有する少なくとも１つのチャネル番号を有するペンディングのチャネル番号更新情報を受信するための受信器、デコーダ及びメモリ；並びに
前記チャネル番号リストを有するメモリにアクセスするプロセッサであって、該プロセッサは、前記チャネル番号リストに対して前記既存のチャネル番号を比較し、前記既存のチャネル番号がチャネル番号リストにあるかどうかについて、ユーザに情報を送るオンスクリーンディスプレイ信号生成する、プロセッサ；
を有する装置。
【国際調査報告】
2009529287.tif 000010
2009529287.tif 000011
2009529287.tif 000012